(57)【要約】【課題】  磁気テープの読込みエラー時において、再読込みをしても正しいデータを取得できない場合に、事前に読込んだデータから読込みを続けるために最低限必要な情報を再構築し、読込みを続けることが可能であるテープ再生装置を提供する。【解決手段】  １本の磁気テープを複数のパーティションに分割し、この分割したパーティションの内、パーティションＰ１１１を複数のセクションＳ１〜Ｓ７に分割し、それぞれのセクションに格納されたファイルマークのＬＢＡを１次元配列ＦＭＡＴ１１１′に構成し、データの読込みエラー時において、読込みエラーの発生した箇所に記録されている情報を元にＦＭＡＴ１１１′を用いて読込み続行に必要な情報を再構築する。【選択図】  図８
2006059495.tif 000002
【特許請求の範囲】
【請求項１】
記録内容毎に複数のパーティション単位に分割し、前記パーティションを複数のセクション単位に分割し、前記セクション毎にセクション区切りを表すファイルマークを付与し、前記ファイルマークを前記セクション毎に累積加算してあるファイルマークカウントと、前記セクションを複数のグループ単位に分割し、前記セクションを構成する最小単位のブロックを用いて、前記ブロックと前記ファイルマークカウントを前記パーティション毎に累積加算してあるレコードカウントを記録してある磁気テープを再生するテープ再生装置において、
前記磁気テープの読込みを行うデータ読込み手段と、
前記データ読込み手段を用いて、読込んだ前記磁気テープの構成内容を表すディレクトリデータより、前記セクション毎のアドレス情報を記録したテーブルを作成するテーブル作成手段と、
前記データ読込み手段でデータを正しく読込めない場合に、前記テーブル作成手段により得られた前記テーブルと前記ファイルマークカウントと前記レコードカウントにより、読み込んだデータのアドレス情報を復元させるデータ復元手段とを備えることを特徴とする
テープ再生装置。
【請求項２】
請求項１記載のテープ再生装置において、
前記データ復元手段でのアドレス情報の復元は、前記ファイルマークを含むブロックであるか前記ファイルマークを含まないブロックであるかの復元である
テープ再生装置。
【発明の詳細な説明】
【技術分野】
【０００１】
本発明は、デジタルデータを再生するテープ再生装置に関し、特に、テープストリーマを使用して動画データなどを再生するのに好適なテープ再生技術に関する。
【背景技術】
【０００２】
従来、磁気テープにデジタルデータを記録し再生するテープ記録・再生装置として、磁気ヘッドを備えた円筒形のドラムを回転させながら、磁気テープを巻きつけデータの記録及び再生を行うヘリカルスキャン方式を採用したテープ記録・再生装置が一般的である。こうしたテープ記録・再生装置を利用して、大容量のデジタルデータを高い信頼性で保存できるようにしたテープストリーマとしては、例えば、現在、数十〜百ギガバイト程度の膨大な記憶容量を有している８ｍｍテープカセットの規格を利用するものがある。このため、コンピュータ装置に接続されたハードディスクに記録されたデータのバックアップ用の保存に加えて、データサイズの大きな画像データ等の保存に利用することが可能であるため、バックアップやアーカイブに用いることが多かった。
【０００３】
こうしたデータは信頼性が最重視されるものであり、通常、磁気テープを再生する場合、エラー訂正処理が施されるが、読込んだデータに、エラー訂正ができないようなエラーが発生することがある。こうした場合、磁気テープを巻き戻して再度同じ箇所の読込み処理を行うことで、エラーのないデータを得るようにしている。テープストリーマの場合、保存されたデータの信頼性が重要であるので、エラーのないデータが得られるまで、複数回繰り返し再読込みを行うようにしてある。このように、エラー訂正ができないようなエラーが発生した場合に、磁気テープの同じ箇所を再度読込んでデータを得る処理を再読込み（リトライ）と呼ぶ。こうして再読込みを行うことで、正しくデータを読込める可能性が高くなる。テープストリーマの場合、このようにデータの再読込みを行うことで、取得したデータの信頼性を高めていた。
【０００４】
特許文献１には、テープストリーマにおいて、回転ドラムに巻きつけられた磁気テープに、規定の配置とは異なる状態で巻きつけられて起こる高さずれが生じ、読取りエラーが発生した場合に、再読込みを所定回数繰り返すことについての記載がある。
【特許文献１】特開２０００−３４８３１９号公報（図１４）
【発明の開示】
【発明が解決しようとする課題】
【０００５】
ところで、テープストリーマは大容量のデータ記録システムであるため、映画データ等のデータ量が大きい動画像データを記録可能である。ここで、テープストリーマのデータ記録システムで記録させた動画データを再生させると、画像データに読取りエラーが生じた際にはリトライによって画像データの転送が遅れるため、画像再生が寸断され、動画としての連続性が途切れることがある。
【０００６】
しかし、磁気テープを動画再生用のメディアとして用いる場合、多少画像が乱れても構わないので、連続性が途切れないことの方が重視される。つまり、ユーザデータと呼ばれる動画像が多少途切れても視聴に問題がない場合には、仮のデータでもよいのでホストコンピュータにデータを送り、以降の読込みを続行させることがある。しかし、読み込んだデータが誤りを含んでいるかもしれない場合には、ユーザデータ自体が誤りを含んでいるばかりでなく、ユーザデータの管理情報を記録してあるグループインデックスと呼ぶデータも誤りを含んでいる可能性が生じる。
【０００７】
ユーザデータに多少の誤りが含まれていたとしても、画像は連続再生されるため、例えば、１コマに画像エラーが混ざっていたとしても、視聴に際しての影響は少ない。だが、グループインデックスが正しく読込めない場合には、磁気テープ内におけるデータの論理的な内部構成を見失うこととなる。その結果、読み込んだデータの論理アドレスを見失い、更にはデータ領域の種類毎に区切りを示すファイルマークという基準データの存在をも見失う可能性が出てくる。このことは、読込みエラーが起きた場所以降の読込み処理、及びセクションの頭出しを行うサーチ処理を継続することが困難になる可能性が高まることとなり、データの読込みに際して致命的なエラーとなる。
【０００８】
本発明はこのような状況に鑑みて成されたものであり、テープストリーマを利用して記録された動画データなどの再生が良好に行えるようにすることを目的とする。
【課題を解決するための手段】
【０００９】
本発明は、記録内容毎に複数のパーティション単位に分割し、パーティションを複数のセクション単位に分割し、セクション毎にセクション区切りを表すファイルマークを付与し、ファイルマークをセクション毎に累積加算してあるファイルマークカウントと、セクションを複数のグループ単位に分割し、セクションを構成する最小単位のブロックを用いて、ブロックとファイルマークカウントをパーティション毎に累積加算してあるレコードカウントを記録してある磁気テープを再生するテープ再生装置において、磁気テープの読込みを行うデータ読込み手段と、データ読込み手段を用いて、読込んだ磁気テープの構成内容を表すディレクトリデータより、セクション毎のアドレス情報を記録したテーブルを作成するテーブル作成手段と、データ読込み手段でデータを正しく読込めない場合に、テーブル作成手段により得られたテーブルとファイルマークカウントとレコードカウントにより、読み込んだデータのアドレス情報を復元させるデータ復元手段とを備える。
【００１０】
このようにしたことで、データを正しく読込めない場合において、読込みを続行するために必要な情報をテーブルに作成し、読み込んだデータのアドレス情報を復元することが可能となる。
【発明の効果】
【００１１】
本発明によれば、読込みエラー時においても、読込みを続行するために必要なアドレス情報を復元できるので、テープ再生装置が磁気テープの論理アドレスを見失わず、円滑に画像再生処理及び、静止画データ又は動画データのセクションサーチ処理を続行できるという効果がある。
【発明を実施するための最良の形態】
【００１２】
以下、本発明の一実施の形態を、図１〜図８を参照して説明する。本実施の形態では、膨大な動画像データを高い信頼性でデジタルデータとして保存できるテープストリーマをテープ再生装置として利用して、テープカセットに記録されているデータを読取り、ディスプレイモニタに画像を表示し、スピーカに音声を出力させる例としてある。画像データは、例えば、ＭＰＥＧ２（Moving Picture Experts Group phase2）フォーマットで変換後、暗号化されて磁気テープに記録してある。なお、以下の説明ではテキスト、静止画、動画、音楽、音声、およびそれらを組み合わせた情報の表現をコンテンツとも呼ぶ。また、テープ再生時に再生データにエラー訂正ができないようなエラーが発生した場合、磁気テープの同じ箇所を再度再生してエラーのないデータを得る処理をリトライと呼ぶ。
【００１３】
図１は、本例のテープ再生装置１の構成例を示したブロック図である。テープ再生装置１は、動画データや静止画データをデジタルデータとして保存してあるテープカセットからデータを読取り、画像と音声を外部機器に出力する再生専用装置である。
【００１４】
テープ再生装置１の外部には、交流電源に接続してあるプラグ２があり、テープ再生装置１の内部には、交流電圧を直流電圧に変換し、テープ再生装置１内の各機器に直流電圧を供給する電源ユニット３があり、プラグ２より電源が供給される。そして、電源ユニット３からそれぞれ、テープ再生装置１の内部を空冷するファン４と、磁気テープからデータを読出すテープユニット５と、テープユニット５の動作を制御し、読み出したデータを映像信号および音声信号に復号するマザーボード６に対して、所定の直流電圧を供給している。
【００１５】
テープ再生装置１の動作状況を表示する機能を有するディスプレイボード８には、図示していない外部のリモートコントローラから制御信号を受信する受光素子が備えてある。また、ディスプレイボード８はパラレルインタフェースを備えており、マザーボード６に制御信号を供給する。また、テープ再生装置１の前面には、マザーボード６へ制御信号を供給する操作キーを備えた前面パネル７がある。そして、テープ再生装置１の操作はリモートコントローラのキー操作、及び前面パネル７のキー操作によって行われる。リモートコントローラのキー操作により、例えば、赤外線通信などの無線でディスプレイボード８内の受光素子を介して、マザーボード６に制御信号を伝送し、テープ再生装置１の動作を制御できる。あるいは、前面パネル７のキー操作によっても制御信号をマザーボード６に伝送し、テープ再生装置１の動作を制御することができる。
【００１６】
テープユニット５には、後述するテープカセット１００が装填されることで、データが読出される。読み出された画像データ及び音声データは、マザーボード６に供給された後、デコードされ、映像信号を伝送する画像ケーブル９と音声信号を伝送するアナログオーディオケーブル１０により、映像信号と音声信号を外部の図示していないディスプレイモニタとスピーカに出力して視聴できる。テープユニット５は、例えば、ＳＣＳＩ（Small Computer System Interface）準拠のインタフェースを備えており、テープユニット５とマザーボード６の間は制御信号を双方向通信する構成としてある。
【００１７】
次に、テープユニット５の構成例を図２のブロック図を参照して説明する。テープユニット５は、テープ再生装置１に装填されたテープカセット１００内の磁気テープ１０４をヘリカルスキャン方式の回転磁気ヘッドにより、データを読出し、データをデコード後、後述するＣＰＵ４０に、映像信号と音声信号を伝送する機能を有する。なお、テープカセット１００の構成と磁気テープ１０４に記録されるデータ構造ついては後述する。また、本例のテープカセット１００は、不揮発性メモリ１０２が内蔵され、テープカセットごとの製造年月日や製造場所、テープの厚さや長さ、材質、磁気テープ１０４上に形成される分割単位毎の記録データの使用履歴等に関連する情報、ユーザ情報等が記録してある。なお、不揮発性メモリ１０２に記録しているこれらの各種情報を管理情報と呼ぶ。
【００１８】
そして、テープユニット５は、磁気テープ１０４の管理情報を読込む機能を有する。磁気テープ１０４を巻きつける回転ドラム３０には、磁気テープ１０４のデータをＲＦ（Radio Frequency）再生信号として読込む４つの再生ヘッド３１ａ〜３１ｄが、所定のアジマス角で９０度間隔で設けてある。テープカセット１００をテープユニット５に装填すると、ローディングモータにより磁気テープ１０４が回転ドラム３０に巻きつけられる。磁気テープ１０４は、後述するリールハブ１０１ａ，１０１ｂにより、順方向又は逆方向に走行され、回転ドラム３０により、再生ヘッド３１ａ〜３１ｄからＲＦ再生信号が読み出される。
【００１９】
そして、再生ヘッド３１ａ〜３１ｄから読み出されたＲＦ再生信号が、再生イコライジング、再生クロック生成、２値化、デコード（ビタビ復号など）処理等を行うＲＦ処理部１８に供給される。ＲＦ処理部１８による処理後のＲＦ再生信号は、信号の誤り検出、又はグループ毎にＥＣＣエラー訂正処理等を行うＩＦ／ＥＣＣ（Inter Face/Error Check and Correct）処理部１９に供給される。ＩＦ／ＥＣＣ処理部１９には、処理後のデータを一時蓄積するバッファメモリ２０が接続してある。バッファメモリ２０には、例えば、ＤＲＡＭ（Dynamic Random Access Memory）を用いてあり、蓄積するデータ量はデータの転送速度等を考慮して設定してある。そして、ＩＦ／ＥＣＣ処理部１９でエラーチェック・訂正処理を施された再生データはバッファメモリ２０に所定のデータ量だけ蓄積される。
【００２０】
圧縮してある記録データを伸長する伸長処理部２１に、バッファメモリ２０に蓄積されたデータが、ＩＦ／ＥＣＣ処理部１９を介して供給される。ここで、再生データが圧縮データであれば伸長処理が行われ、非圧縮データであれば伸長処理を行わずそのままバイパスされる。そして、ＳＣＳＩに準拠したＳＣＳＩインタフェース２４へのデータ転送を制御するＳＣＳＩバッファ処理部２２には、ＳＣＳＩインタフェース２４の転送速度を得るために、処理後のデータを一時蓄積するＳＣＳＩバッファメモリ２３がＳＣＳＩバッファ処理部２２に接続してある。伸長処理部２１から供給される再生データは、ＳＣＳＩバッファ処理部２２を経て、ＳＣＳＩバッファメモリに所定のデータ量だけ蓄積される。その後、ＳＣＳＩバッファメモリ２３からＳＣＳＩバッファ処理部２２を介してＳＣＳＩインタフェース２４に再生データが供給される。
【００２１】
そして固定長のレコード単位で、プログラム命令を解釈し、実行するＣＰＵ（Central Processing Unit）４０がマザーボード６上に配置してある。さらに、ＳＣＳＩインタフェース２４がＳＣＳＩバッファ処理部２２に接続してあり、データをテープユニット５とＣＰＵ４０の間で双方向通信を行う構成としてある。
【００２２】
テープユニット５が内蔵している各モータの回転速度を制御するサーボ処理部１６と、テープユニット５全体の制御処理を実行するシステム処理部１５は、ＩＦ／ＥＣＣ処理部１９を介して双方向通信を行うよう接続してある。サーボ処理部１６には、各モータを駆動させるメカ駆動部１７に回転速度信号を供給する構成としてあり、メカ駆動部１７には図示していないモータが接続してある。メカ駆動部１７が駆動させるモータとしては、例えば、回転ドラム３０を回転させるドラムモータ、磁気テープ１０４を定速走行させるキャプスタンモータ、リールハブ１０１ａ，１０１ｂを順方向及び逆方向に回転させるリールモータ、磁気テープ１０４の出し入れ（ロード・アンロード）を行うローディングモータ、挿入されたテープカセット１００の装着及び排出を行うイジェクトモータ等がある。さらに、各モータのサーボ制御に用いる定数等を格納しているＥＥＰＲＯＭ（Electrically Erasable Programmable Read-Only Memory）２５が、サーボ処理部１６に接続してある。
【００２３】
テープユニット５の操作は、全てＣＰＵ４０からの制御信号によって行われる。ＣＰＵ４０からの制御信号は、ＳＣＳＩインタフェース２４を介してシステム処理部１５に供給される。システム処理部１５は、ＳＣＳＩインタフェース２４、ＳＣＳＩバッファ処理部２２、伸長処理部２１、ＩＦ／ＥＣＣ処理部１９、不揮発性メモリ１０２が準拠しているシリアルインタフェース２８にそれぞれ双方向通信を行うよう接続してあり、磁気テープ１０４の読出し処理を行う。そして、システム処理部１５で各種処理に用いるデータを記憶しているＳＲＡＭ２６とフラッシュＲＯＭ２７が、それぞれシステム処理部１５に接続されてデータが読み出される。ＳＲＡＭ２６は、ワークメモリとして用いたり、不揮発性メモリ１０２から読み出されたデータ、テープカセット単位で設定されるデータ、各種フラグデータなどの記憶や演算処理などに用いるメモリである。そして、フラッシュＲＯＭ２７は、システム処理部１５の制御に用いる定数等が記憶されるメモリである。さらに、不揮発性メモリ１０２は、シリアルインタフェース２８を介してシステム処理部１５に接続してあり、磁気テープ１０４のアドレス等の情報を供給する構成となっている。また、システム処理部１５は、サーボ処理部１６を制御しており、メカ駆動部１７を介して各種モータを動かす。
【００２４】
不揮発性メモリ１０２は、テープカセット１００がテープユニット５に装填されると、後述する端子ピン１０９ａ〜１０９ｅを出力部としてシリアルインタフェース２８を介してシステム処理部１５と通信を行う。これによりシステム処理部１５は不揮発性メモリ１０２に記録されている管理情報を読み込める。そして、不揮発性メモリ１０２とＣＰＵ４０の間はＳＣＳＩコマンドを用いて情報の伝送が行われる。このため、特に不揮発性メモリ１０２とＣＰＵ４０との間に専用のラインを設ける必要はなく、結果的にテープカセット１００とＣＰＵ４０とのデータのやりとりは、ＳＣＳＩインタフェース２４だけで行うことができる。
【００２５】
次に、マザーボード６の構成例を図３のブロック図を参照して説明する。マザーボード６は、ＣＰＵ４０を始めとする様々なデバイスで構成されるプリント基板である。周辺デバイスとしては、後述するディスクメモリ４１、コントローラ４２、ブートメモリ４３、ＲＯＭ４４，ＲＡＭ４５、ＭＰＥＧ復号部４６、オーディオ復号部４７が設けてあり、それぞれＣＰＵ４０との間で通信を行う構成としている。
【００２６】
ＣＰＵ４０は、テープ再生装置１全体を制御するメインプロセッサであり、ディスクメモリ４１には、ＢＩＯＳ（Basic Input/Output System）が設定された後に起動されるＯＳ（Operating System）及びテープ再生装置１を制御するアプリケーションプログラムが記録してある。このディスクメモリ４１は、ＩＤＥ（Integrated Device Electronics）に準拠したインタフェースを備え、ＩＤＥバスでＣＰＵ４０と接続してある。また、ＣＰＵ４０は、テープユニット５内のＳＣＳＩインタフェース２４と双方向通信を行う構成としてある。
【００２７】
ブートメモリ４３には、テープ再生装置１の電源投入時に一番最初に読み出され、テープ再生装置１を起動させるためのブートプログラム及びＢＩＯＳが記録してある。このブートメモリ４３は、ＩＳＡ（Industry Standard Architecture）に準拠したインタフェースを備え、ＩＳＡバスでＣＰＵ４０と接続してある。
【００２８】
ディスプレイボード８から供給される信号、すなわちリモートコントローラからのキー操作と、前面パネル７からのキー操作に応じてテープ再生装置１を制御するコントローラ４２がある。なお、コントローラ４２は、リモートコントローラの電源キーによってテープ再生装置１の電源のオン・オフを制御するために、ＣＰＵ４０とは別の図示していないプロセッサを用いて構成してある。コントローラ４２の駆動に必要な電源もテープ再生装置１の電源遮断中にも供給可能な図示していないスタンバイ電源から供給される。このコントローラ４２は、シリアルインタフェースを備え、例えば、ＲＳ−２３２Ｃ規格でＣＰＵ４０と接続してある。
【００２９】
電源を遮断しても揮発してはならないデータが記録してあるＲＯＭ４４は、例えば、ＥＥＰＲＯＭで構成してある。そして、プログラム実行中に使用されるメモリであるＲＡＭ４５は、例えば、ＤＩＭＭ（Dual In-Line Memory Modules）で構成してある。
【００３０】
テープ再生装置１の電源を入れる際には、リモートコントローラによるディスプレイボード８を介したキー操作、又は前面パネル７でのキー操作により、コントローラ４２を経てテープ再生装置１の電源が入る。すると、ブートメモリ４３が読み出され、ブートプログラムが起動し、ＢＩＯＳが設定されて、ＯＳが起動する。その後、ディスクメモリ４１が読み出され、ＯＳ及びテープ再生装置１のアプリケーションプログラムが実行される。ＣＰＵ４０の動作中には随時、ＲＯＭ４４より処理に必要な定数等のデータを取得する。また、ＲＡＭ４５をプログラムの作業領域、あるいは、磁気テープ１０４のチャプタ画面保存等に用いて処理を行っている。
【００３１】
テープユニット５で取り出された画像データと音声データは、ＳＣＳＩインタフェース２４を介してＣＰＵ４０に供給される。画像データは、ＭＰＥＧ２フォーマットであるため、ＭＰＥＧ復号部４６に供給され、復号された後、ＣＰＵ４０に伝送されて、画像信号を伝送する画像ケーブル９より図示していないディスプレイモニタに送信されて画像が表示される。このときの映像信号は、例えば、コンポジット信号又は、ＹＵＶコンポネント信号又は、Ｓ−ビデオ信号でもよい。一方、音声データは、オーディオ復号部４７に供給され、復号された後、アナログオーディオ信号がアナログオーディオケーブル１０より図示していないスピーカに送信されて音声が出力される。
【００３２】
次に、本例のテープ再生装置１に装填されるテープカセット１００の内部構成例を図４を参照して説明する。本例のテープユニット５で使用するテープカセット１００の内部には、テープ幅８ｍｍの磁気テープ１０４を巻き取るリールハブ１０１ａ，１０１ｂが設けてある。そして、磁気テープ１０４は、ローラ１０５ａ，１０５ｂにより張力を保った状態で支持されている。また、このテープカセット１００には不揮発性メモリ１０２が設けてある。この不揮発性メモリ１０２のモジュールには５個の端子１０３ａ〜１０３ｅを備えており、それぞれ電源端子、データ入力端子、クロック入力端子、アース端子、予備端子等として構成している。
【００３３】
次に、本例のテープ再生装置１に装填されるテープカセット１００の外部構成例を図５を参照して説明する。図５は、本例のテープカセット１００の外観例を示しており、筺体全体は、上側ケース１０６ａ、下側ケース１０６ｂ、及びテープ面を保護するガードパネル１０７で構成してあり、通常の８ｍｍビデオテープカセットに用いられる構成と基本的には同様である。このテープカセット１００の側面にあるタイトルシール等を貼り付けるラベル面１０８には、端子ピン１０９ａ〜１０９ｅが設けてあり、前述した端子１０３ａ〜１０３ｅと対で接続してある。すなわち、テープカセット１とテープユニット５は、端子ピン１０９ａ〜１０９ｅを介して物理的に接触してデータ信号等の伝送を行う構成としてある。
【００３４】
次に、磁気テープ１０４に記録される記憶領域のデータ構造の例を図６を参照して説明する。なお、磁気テープ１０４の記録再生データに関するデータフォーマットとしては複数が存在するが、本例では、ＡＩＴ（Advanced Intelligent Tape）フォーマットを用いている。図６（ａ）は、１本の磁気テープ１０４をパーティションという単位で複数個に分割した場合のデータ構造の例を示す。図６（ｂ）は、前述したパーティションの内１個を例に挙げて、パーティションをセクションという単位で複数個に分割した場合のデータ構造の例を示す。図６（ｃ）は、前述したセクションの内１個を例に挙げて、セクションをグループという単位で複数個に分割した場合のデータ構造の例を示す。図６（ｄ）は、前述したグループの内１個を例に挙げて、グループをフィールドという単位で複数個に分割した場合のデータ構造の例を示す。
【００３５】
まず、磁気テープ１０４に記録されるパーティションのデータ構造について図６（ａ）のパーティションのデータ構造の例を用いて説明する。磁気テープ１０４は、データを記録する領域として複数のパーティションＰ０〜Ｐ１０に分割してある。これらのパーティションは、管理情報を記録してある不揮発性メモリ１０２と同様のデータを記録するシステム領域と、実際にデータを書き込むデータ領域とで構成してあり、詳細は後述する。パーティションを用いると最大１１個に磁気テープ１０４の記録領域を分割でき、パーティションの長さはテープに記録するアプリケーションの設定により任意に増減可能である。但し、最後のパーティションは、後述するＡ１、Ｋ領域のみしか記録できない。
【００３６】
そして、テープカセット１００をテープ再生装置１から出し入れ（ロード・アンロード）する際に、磁気テープ１０４にダメージを与えてしまうため、パーティションＰ０〜Ｐ１０の先頭には、それぞれロード・アンロード領域Ｌ０〜Ｌ１０を確保している。このロード・アンロード領域は、テープカセットを取り出す際に停止させることができる領域である。即ち、通常のＶＴＲなどのテープ再生装置では、テープカセットを再生した後、テープカセットを取り出す際には、再生を停止させた磁気テープの位置で取り出せるため、次にテープカセットをテープ再生装置に装填すると再生を停止させた位置から続きを視聴できる。
【００３７】
これに対して、本例の磁気テープ１０４は、最大でＰ０〜Ｐ１０の１１個のパーティションが構成してあり、この１１個のパーティションＰ０〜Ｐ１０の先頭に設けたロード・アンロード領域Ｌ０〜Ｌ１０においてテープカセット１００を停止させて、出し入れするようにしてある。このようにしてあることで、データが記録された領域で、テープカセット１００が停止した状態となって出し入れさせることを防止するようにしている。
【００３８】
パーティションＰ０〜Ｐ９には、映像データなどのコンテンツを記録しているが、最後のパーティションＰ１０には、コンテンツを記録しない。これは、磁気テープ１０４の最後においてもテープカセット１００の取り出しを行うためである。但し、このパーティションＰ１０は、ユーザに開放して、コンテンツ以外のデータを自由に記録することができる。
【００３９】
次に、セクションのデータ構造について図６（ｂ）のセクションのデータ構造の例を用いて説明する。通常はパーティション毎に１個のコンテンツの映像データが記録されるが、コンテンツ数が多い場合には、１個のパーティションに対して複数のコンテンツを記録することも可能である。図６（ａ）のパーティションのデータ構造の例より、パーティションＰ２を例に挙げると、１個のパーティションに３個のコンテンツを記録した構成としてある。
【００４０】
各パーティションの先頭には図４の不揮発性メモリ１０２と同じデータを記録してあるセクションＳ１が設けてあり、このセクションＳ１をＡ１領域と呼ぶ。不揮発性メモリ１０２は、テープカセット１００上の端子ピン１０９ａ〜１０９ｅを介して読み出しが行えるが、接点の接触不良等により管理情報を読み出せない可能性もある。そこで磁気テープ１０４の各パーティションの先頭セクションにも不揮発性メモリ１０２の管理情報をバックアップ記録してある。そして、このＡＩＴフォーマットでは、記録している映像データを暗号化しており、Ａ１領域の次には、この暗号化したデータを復号するための復号鍵を記録しているセクションＳ２があり、これをＫ領域と呼ぶ。なお、復号化の方式に関しては後述する。更に、Ａ１領域とＫ領域をまとめてメタデータと呼ぶ。
【００４１】
不揮発性メモリ１０２及びＡ１領域には、磁気テープ１０４に記録されている全てのコンテンツのタイトルリストが記録されている。この情報は、テキストデータであるため不揮発性メモリ１０２及びＡ１領域に記録することが可能であるが、メモリ容量の制約により、静止画像を伴う情報は記録することができない。そこで、静止画像を伴う情報は、後述するＡ２領域及びＢｎ領域に分けて記録してある。
【００４２】
Ｋ領域の次には、磁気テープ１０４に記録されている全てのコンテンツの詳細情報が記録されているセクションＳ３があり、これをＡ２領域と呼ぶ。Ａ２領域は、不揮発性メモリ１０２の管理情報を読み出した後、あるいは、確認のためＡ１領域のバックアップデータを読み込んだ後、最初にデータを読込む領域であり、Ａ２領域のデータを読み出した後は各コンテンツの詳細情報を確認することができる。つまり、Ａ２領域には磁気テープ１０４に記録された全コンテンツの代表的な静止画であるサムネイル画像が記録してある。
【００４３】
Ａ２領域の次には、コンテンツ毎に、コンテンツのサーチに使用するチャプタやシーン等を記録したサムネイルデータを記録しているセクションＳ４があり、これをＢ１領域と呼ぶ。そのサムネイルに対応するテープ上の位置ＬＢＡ（Logical Block Address）はＡ１領域に記録されている。ＬＢＡとは、記憶媒体などにおけるアドレス指定方法の1つで、アクセスされる単位ブロックのそれぞれについて、例えば、０番から順に数字を割り当てていき、その数字を指定してアドレスを選びブロックにアクセスするという方法である。そして、Ｂ１領域の次には、コンテンツの映像データを記録してあるセクションＳ５があり、これをＣ１領域と呼ぶ。このように、Ｂｎ領域とＣｎ領域は対を成しており、同様に、セクションＳ６をＢ２領域、セクションＳ７をＣ２領域、セクションＳ８をＢ３領域、セクションＳ９をＣ３領域と呼ぶ。つまり、本例では、Ｂ１，Ｃ１，Ｂ２，Ｃ２，Ｂ３，Ｃ３領域の順序で連続して３個のコンテンツが記録してある。そして、Ａ２領域とＢｎ領域をまとめて静止画データと呼び、Ｃｎ領域を動画データと呼ぶこととする。
【００４４】
Ｂｎ領域のデータは、対応するＣｎ領域のコンテンツを読込む時、図３のディスクメモリ４１にファイルとして保存してある。そのためコンテンツの再生中は、そのコンテンツのチャプタサーチ及びシーンサーチをいつでも行うことが出来る。次に別のコンテンツが選択されると、そのコンテンツに対応するＢｎ領域の情報が読み出されディスクメモリ４１のファイルは上書きされる。
【００４５】
次に、一旦、グループのデータ構造について図６（ｃ）のグループのデータ構造の例を用いて説明する。前述した各セクションは、必ず１個以上のグループで構成してある。図６（ｂ）のセクションのデータ構造の例より、Ｃ１領域（セクションＳ５）を例に挙げると、Ｃ１領域には、グループＧ１〜Ｇ８まで８個のグループが記録してあることが分かる。データを記録する最小単位であるブロックは、１ブロックにつき５１２バイトの領域を確保してあり、各グループには、１５６５個の図示していないブロックが非圧縮で記録してある。そして、セクションの終端にはファイルマークと呼ぶセクション区切りを示すデータが記録してある。但し、ファイルマークが記録されているグループだけは、ブロックが１５６５個なくても構わない。つまり、グループＧ８にはファイルマークＦ５が記録されており、グループＧ８に記録されたコンテンツデータは１５６５ブロックに満たない場合があるが、ＡＩＴフォーマットでは許容されることを意味している。当然、その他のグループＧ１〜Ｇ７は、１５６５個のブロックで構成してある。なお、ブロックはグループの境界をまたがない構成で記録してある。ここで１５６５個という値はＡＩＴ１フォーマットの時の最適値であり、ＡＩＴ２やＡＩＴ３フォーマットのテープを使う時は別の値になる。
【００４６】
また、それぞれのグループにはユーザデータ以外に、テープフォーマットの管理データを記録してあるＩＤ情報セグメントがある。図６（ｃ）のグループのデータ構造の例では、グループＧ１〜Ｇ８の中のユーザデータ間の隙間にＩＤ情報が埋め込まれ、多重書きされている。ＩＤ情報セグメントには、ファイルマークと後述するファイルマークカウントが記録してある。
【００４７】
ここで、図６（ｂ）のセクションのデータ構造の例の説明に戻ると、全てのセクションＳ１〜Ｓ９について、各セクションの終端を示すファイルマークＦ１〜Ｆ９が、パーティション毎にセクションの先頭からファイルマークを数えて、そのグループまでにいくつのファイルマークが含まれるかを累積した数字であるファイルマークカウントというかたちで、全グループのＩＤ情報セグメントに記録してある。
【００４８】
パーティションＰ２を例に挙げると、Ｃ１領域内のグループＧ１〜Ｇ８にあるＩＤ情報セグメントにそれぞれファイルマークカウントが記録してある。ここで、グループＧ１〜Ｇ７までのファイルマークカウントは、セクションＳ１〜Ｓ４までのファイルマークを累積した数である“４”が記録してある。そして、グループＧ８にファイルマークがあるため、グループＧ８のＩＤ情報セグメントに記録してあるファイルマークカウントは４＋１＝“５”となる。こうして記録したファイルマークカウントは、後述する画像読込みエラー時の読込み続行処理に用いられることとなる。
【００４９】
こうして、ファイルマークカウントを全グループのＩＤ情報セグメントに多重書き記録してあることで、コンテンツを高速サーチする時にも確実にファイルマークカウントを検知し、目的のコンテンツに辿り着くことが可能となる。
【００５０】
本例において、磁気テープ１０４に含まれるコンテンツ数は多くても１００本とする。そして、１コンテンツはそれに相当するＢ領域とＣ領域を一個ずつ含んでいる。磁気テープ１０４中にパーティションが１個しかないとすると、このパーティションに１００本のコンテンツが記録された場合、セクションはＡ１，Ｋ，Ａ２，Ｂ１，Ｃ１，Ｂ２，Ｃ２，‥‥，Ｂ１００，Ｃ１００領域の順に並び、ファイルマーク数は１００×２＋３＝２０３個となることが分かる。
【００５１】
ここで、コンテンツの復号化について説明する。前述したとおりＫ領域には、そのパーティションに記録されている全てのコンテンツの復号鍵が記録してある。そして、コンテンツ毎に一つの復号鍵を使用する。例として挙げた、図６（ｂ）のセクションのデータ構造の例に示したパーティションＰ２には、３個のコンテンツがあるため、Ｋ領域に記録されている復号鍵は３個である。
【００５２】
コンテンツの再生時において、暗号データの復号時にパフォーマンスが低下すると再生データの転送速度が低下し、コンテンツの再生が実時間に間に合わなくなる可能性が生じる。本例では、パフォーマンスが低下しないように、全てのブロックを暗号化するのではなく、間欠的に暗号化している。例えば、１ブロック毎に暗号化するようにしてもよい。そして、暗号化するブロックの間隔を調整することで、コンテンツを再生する際の転送速度を調整できる。暗号化するブロックの間隔は、Ａ１領域に記録してある。
【００５３】
次に、フィールドのデータ構造について図６（ｄ）のフィールドのデータ構造の例を用いて説明する。図６（ｃ）のグループのデータ構造の例より、グループＧ８を例に挙げると、１個のグループを４個のフィールドに分割した構成としてある。フィールドｆ１には、エンティティの情報を記録してあるエンティティヘッダがある。エンティティとはあるデータを磁気テープに記録する時に圧縮処理を行う単位であり、エンティティヘッダにはエンティティのエントリを記録してある。本例の磁気テープ１０４では、データ圧縮を行っていないため、エンティティヘッダはグループのエントリと一致する。フィールドｆ２には、動画データなどのユーザデータが記録してある。そして、フィールドｆ３には、後述するＢＡＴ（Block Access Table）が記録してあり、フィールドｆ４には、後述するＧＩＴ（Group Information Table）が記録してある。
【００５４】
ＢＡＴは、ファイルマークのエントリ等が記録された領域である。一方、ＧＩＴは、そのグループの番号やレコード数等を記録した領域である。そして、あるパーティションの先頭から数えてそのグループまでにいくつのファイルマークが含まれるかを累積した数字であるファイルマークカウントと、あるパーティションの先頭から数えてそのグループまでにいくつのブロックとファイルマークが含まれるかを累積した数字であるレコードカウントもＧＩＴに含まれる。
【００５５】
一方、先に述べたように、累積のファイルマークカウントとレコードカウントは、ＩＤ情報セグメントにも書かれている。ＩＤ情報セグメントに書かれている管理データを、以下の説明ではサブデータと呼ぶ。サブデータは元々高速サーチなどで、確実に読込めるように各グループ中のユーザデータ間の隙間に多重書き記録してある。また、ＥＣＣエラー訂正処理はグループ単位で行うが、サブデータは訂正処理の対象外であるため、処理が成功しなくても読込み可能である。すなわちサブデータは、よほど読込みコンディションが悪くない限り読込み可能であると言える。本例では、このサブデータさえ読めない状況を救うことは考慮していない。
【００５６】
なお、ＧＩＴ、ＢＡＴ、エンティティヘッダはまとめてグループインデックスと呼び、グループ単位でのＥＣＣエラー訂正処理の対象項目である。そして、万一読込めない場合は致命的なエラーとなってしまう。つまり、どの部分を再生していたかの論理アドレスを見失うこととなる。例えば、図６（ｂ）のセクションのデータ構造の例より、Ｃ１領域（セクションＳ５）のファイルマークＦ５の論理アドレスを見失うと、Ｃ１領域に続くＢ２領域までＣ１領域と認識してしまう。この結果、適切なデータ再生が行えなくなるばかりか、サーチ処理でコンテンツの頭出しを行うこともできなくなる可能性が生じる。こうした状況を回避するためリトライを行いエラー訂正を行うが、それでも正しく読込めない場合は、サブデータの値から、グループインデックスを復元する処理を行う。このグループインデックスを復元する処理の詳細は後述する。
【００５７】
次に、Ａ１領域を読み込んだ時に構築されるテーブルのデータ構造の例を図７を参照して説明する。本例では、パーティションの先頭部であるＡ１領域のディレクトリ情報を読込んだ時に、図７に示したような１次元配列を作り、この配列名称をＦＭＡＴ（FileMarks Address Table）と呼ぶ。
【００５８】
本例のＦＭＡＴ１１０は添え字が“０”から始まる１次元配列であり、ｎ個のエレメントＥ１〜Ｅｎの順に構成してある。それぞれのエレメントＥ１〜Ｅｎについて１次元配列のＦＭＡＴ［０］〜ＦＭＡＴ［ｎ＋１］が対応する。ＦＭＡＴ［０］には、ＦＭＡＴ識別子としてＡＳＣＩＩ（American Standard Code for Information Interchange）固定値の“ＦＭＡＴ（464d4154h）”が記録してある。また、ＦＭＡＴ［１］には、読込んだパーティション内の全ファイルマーク数ｎが記録してある。そして、ＦＭＡＴ［２］〜［ｎ＋１］には、読込んだパーティション内のファイルマークについて順番にファイルマークのＬＢＡ値であるＬＢＡＸ１〜Ｘｎが記録してある。ＬＢＡはパーティションの先頭からそのブロックまでのブロック数とファイルマークの数を合計した値である。各ＦＭＡＴ［０］〜［ｎ＋１］の項目長は４バイトであり、ＦＭＡＴ１１０の全項目長は“４×（ｎ＋２）”バイトとなる。
【００５９】
ＦＭＡＴ１１０は、テープ再生装置１で作成可能であるし、又は、テープカセット１００を制御する側がテープカセット１００から読み出した値から作ったＦＭＡＴ１１０をテープ再生装置１に送出してもよい。
【００６０】
次に、ＦＭＡＴの使用例を図８を参照して説明する。図８において、既に説明した図６及び図７に対応する部分には同一符号を付す。本例では、磁気テープ１０４を複数に分割したパーティションの一つであるパーティション１１１のＡ１領域（セクションＳ１）に記録されたディレクトリ情報を読込んだ時に、１次元配列ＦＭＡＴ１１１′を作り、グループインデックスを復元する処理について具体的な値を示してある。この復元処理は、例えば、一制御手段であるシステム処理部１５で行われる。
【００６１】
パーティション１１１は、セクションＳ１〜Ｓ７に対してそれぞれＡ１,Ｋ，Ａ２，Ｂ１，Ｃ１，Ｂ２，Ｃ２領域の順に構成してある。それぞれの領域について、Ａ１，Ｋ，Ａ２領域は５グループずつ、Ｂ１，Ｂ２領域は１０グループずつ、Ｃ１，Ｃ２領域は２０グループずつ占めている。説明では、Ｃ２領域のグループを用いるため、Ｃ２領域は、グループＧ１〜Ｇ２０で構成しているものとする。なお、Ｃ２領域のファイルマークが格納されるグループＧ２０のブロック数は、１５１５ブロックとしてある。説明を簡単にするためその他の領域に格納されたグループ内のブロック数は１５６５ブロックとしてある。実際はセクションの最終グループのブロック数は１５６５ブロックでなくてよい。また、各領域には、ファイルマークＦ１〜Ｆ７が記録してある。
【００６２】
ＦＭＡＴ１１１′はエレメントＥ１〜Ｅ９までの９個の要素からなる１次元配列である。それぞれのエレメントＥ１〜Ｅ９についてＦＭＡＴ［０］〜ＦＭＡＴ［８］が対応する。ＦＭＡＴ［０］には、固定値“ＦＭＡＴ”が格納され、ＦＭＡＴ［１］には、パーティション１１１の全てのファイルマーク数“７”が格納される。ＦＭＡＴ［２］〜ＦＭＡＴ［８］には、それぞれパーティション１１１の先頭ブロックからファイルマークのあるブロックまで加算したブロック数とファイルマークの値が格納される。例えば、Ａ１領域は５グループを占めており、最終グループのブロック数も１５６５個であるとしたのでブロック数は１５６５×５＝“７８２５”個あり、これにファイルマーク数“１”を加算した“７８２６”がＦＭＡＴ［２］に記録される。次のＫ領域も５グループを占めており、最終グループのブロック数も１５６５であるとしたのでブロック数は１５６５×５＝“７８２５”個である。よって、ＦＭＡＴ［２］の値“７８２６”にＫ領域のブロック数“７８２５”とＫ領域のファイルマーク数“１”を加算した“１５６５２”がＦＭＡＴ［３］に記録される。以下同様にＦＭＡＴ［８］まで各領域毎のファイルマークＦ３〜Ｆ７に対応したＬＢＡが記録される。
【００６３】
次に、上述したサブデータとＦＭＡＴからグループインデックスを復元する方法について説明する。読込みを続行するために必要な要素は、ＢＡＴ、ＧＩＴ、エンティティヘッダであり、これらの要素を復元するために必要な情報としては、そのグループに何個のデータブロックが含まれているか、そして、そのグループにファイルマークが含まれているかの２点が挙げられる。
【００６４】
ここで、読込んだサブデータの内、レコードカウントをｒ、ファイルマークカウントをｆとする。ｆ番目のファイルマークのＬＢＡはＦＭＡＴ［ｆ＋１］に記録してある。
【００６５】
まず、ＦＭＡＴ［ｆ＋１］がｒと一致しない場合は、ファイルマークを含まないグループであり、そのグループに記録してあるブロック数は１５６５個であると判定できる。
【００６６】
この条件が適用される例を説明すると、Ｃ２領域のグループＧ１０のレコードカウントは、Ａ１〜Ｂ２までのレコードカウント値であるＦＭＡＴ［７］の値“８６０８１”に、図示していないグループＧ１〜Ｇ１０までのブロック数１５６５×１０＝“１５６５０”を加算した値８６０８１＋１５６５０＝“１０１７３１”であり、この値がテープからサブコードのレコードカウント値（＝ｒ）として読めてくるが、この値は、ＦＭＡＴ［８］の値“１１７３３２”に一致しないため、このグループＧ１０に記録してあるブロック数は“１５６５”個であり、ファイルマークを含まないと分かる。
【００６７】
一方、ＦＭＡＴ［ｆ＋１］がｒと一致する場合は、１個のファイルマークで閉じられたファイルマークを含むグループであり、後述する２つの場合の内どちらかの場合が該当する。ここで、ブロック数をｂとして説明する。
【００６８】
ｂ＝（ＦＭＡＴ［ｆ＋１］−ＦＭＡＴ［ｆ］−１）％１５６５＞０の場合は、ブロックをｂ個と、ファイルマークを１個含むセクションであることが分かる。ただし％は剰余を表す演算子であり、Ａ％Ｂの値は、ＡをＢで割ったときの余りを表す。
【００６９】
この条件が適用される例を説明すると、Ｃ２領域のグループＧ２０のレコードカウントは、Ａ１〜Ｂ２領域までのレコードカウント値であるＦＭＡＴ［７］の値“８６０８１”に、図示していないグループＧ１〜Ｇ１９までのブロック数１５６５×１９＝“２９７３５”を加算した値８６０８１＋２９７３５＝“１１５８１６”と、グループ２０のブロック数“１５１５”と、ファイルマークＦ７の数“１”とを加算した値１１５８１６＋１５１５＋１＝“１１７３３２”であり、ＦＭＡＴ［８］の値“１１７３３２”に一致する。この場合、計算式より、ｂ＝（ＦＭＡＴ［８］―ＦＭＡＴ［７］−１）％１５６５＝（１１７３３２−８６０８１−１）％１５６５＝３１２５０％１５６５＝１５１５＞０の結果が得られるため、グループＧ２０に記録してあるブロック数は１５１５個であり、ファイルマークを１個含むことが分かる。
【００７０】
ｂ＝ＦＭＡＴ［ｆ＋１］−ＦＭＡＴ［ｆ］−１＝０の場合は、ファイルマークが１個存在するだけで、データが記録されたブロックが無い特別なグループであることが分かる。
【００７１】
この条件が適用される例を説明するため、図６のＦＭＡＴ［８］の値を今回は１１５８１７であるとする。この場合、計算式より、ｂ＝（ＦＭＡＴ［８］―ＦＭＡＴ［７］−１）％１５６５＝（１１５８１７−８６０８１−１）％１５６５＝２９７３５％１５６５＝“０”であるため、ブロック数は０個であり、ファイルマークが１個だけのグループであることが分かる。
【００７２】
こうしてＦＭＡＴに記録した内容から、読み込んだ箇所におけるファイルマーク数とブロック数を得ることができる。判明したファイルマーク数とブロック数を元に、読込んだ箇所の論理アドレスが分かるため、たとえ読込みエラーが発生しても、信頼性が疑われるグループインデックスを正しく復元し、読込み処理を継続することが可能となる。
【００７３】
このように、読込んでいる箇所の論理アドレスを喪失したり、セクション毎のファイルマークを見逃したりしないので、読込みエラーが発生した箇所以降においても問題なく読込み及びコンテンツのサーチ処理を行い、円滑に画像再生を行うことができる。
【００７４】
そして、本例では読込んだパーティションのＡ１領域の内容を元にＦＭＡＴを作成したが、不揮発性メモリ１０２に記録してあるディレクトリデータ等の内容を元にＦＭＡＴを作成してもよい。
【００７５】
また、上述した実施の形態では、テープユニット５とＣＰＵ４０との通信は、ＳＣＳＩインタフェース２４を用いて接続したが、安価で高速データ通信が可能なＩＤＥインタフェースを用いてＩＤＥバスで双方向通信を行ってもよい。その他にも機器同士の通信には、例に挙げたもの以外の高速なインタフェースを備えたケーブルを用いて接続してもよい。
【００７６】
また、上述した実施の形態では、８ｍｍテープカセットを使用したテープストリーマを用いた例を挙げて説明したが、これに限定されるものでなく、デジタルデータを記録する様々な形式のテープストリーマにも適用可能である。
【図面の簡単な説明】
【００７７】
【図１】本発明の一実施の形態によるテープ再生装置の構成例を示したブロック図である。
【図２】本発明の一実施の形態によるテープユニットの構成例を示したブロック図である。
【図３】本発明の一実施の形態によるマザーボードの構成例を示したブロック図である。
【図４】本発明の一実施の形態によるテープカセットの内部構成例を示した構成図である。
【図５】本発明の一実施の形態によるテープカセットの外部構成例を示した斜視図である。
【図６】本発明の一実施の形態によるＡＩＴフォーマットによる記憶領域のデータ構造の例を示した説明図である。
【図７】本発明の一実施の形態によるＦＭＡＴのデータ構造の例を示した説明図である。
【図８】本発明の一実施の形態によるＦＭＡＴの使用例を示した説明図である。
【符号の説明】
【００７８】
１…テープ再生装置、２…プラグ、３…電源ユニット、４…ファン、５…テープユニット、６…マザーボード、７…前面パネル、８…ディスプレイボード、９…画像ケーブル、１０…アナログオーディオケーブル、１５…システム処理部、１６…サーボ処理部、１７…メカ駆動部、１８…ＲＦ処理部、１９…ＩＦ／ＥＣＣ処理部、２０…バッファメモリ、２１…伸長処理部、２２…ＳＣＳＩバッファ処理部、２３…ＳＣＳＩバッファメモリ、２４…ＳＣＳＩインタフェース、２５…ＥＥＰＲＯＭ、２６…ＳＲＡＭ、２７…フラッシュＲＯＭ、２８…シリアルインタフェース、３０…回転ドラム、３１ａ〜３１ｄ…再生ヘッド、４０…ＣＰＵ、４１…ディスクメモリ、４２…コントローラ、４３…ブートメモリ、４４…ＲＯＭ、４５…ＲＡＭ、４６…ＭＰＥＧ復号部、４７…オーディオ復号部、１００…テープカセット、１０１ａ，１０１ｂ…リールハブ、１０２…不揮発性メモリ、１０３ａ〜１０３ｅ…端子、１０４…磁気テープ、１０５ａ，１０５ｂ…ローラ、１０６ａ…上側ケース、１０６ｂ…下側ケース、１０７…ガードパネル、１０８…ラベル面、１０９ａ〜１０９ｅ…端子ピン、１１０…ＦＭＡＴ、１１１…パーティション、１１１′…ＦＭＡＴ、Ｅ１〜Ｅｎ…エレメント、ｆ１〜ｆ４…フィールド、Ｆ１〜Ｆ９…ファイルマーク、Ｇ１〜Ｇ２０…グループ、Ｌ０〜Ｌ１０…ロード・アンロード領域、Ｐ０〜Ｐ１０…パーティション、Ｓ１〜Ｓ９…セクション、Ｘ１〜Ｘｎ…ＬＢＡ
【図１】
2006059495.tif 000003
【図２】
2006059495.tif 000004
【図３】
2006059495.tif 000005
【図４】
2006059495.tif 000006
【図５】
2006059495.tif 000007
【図６】
2006059495.tif 000008
【図７】
2006059495.tif 000009
【図８】
2006059495.tif 000010